(57)【要約】【課題】材料照射試験に使用される試験研究炉などの高放射線環境下において、長期間測定精度を保持して、安定的に水素ガス濃度を測定することができる炉内外センサとしての水素濃度計を提供すること。【解決手段】金属筐体と、金属筐体に連通して取り付けられたプロトン導電性セラミックス管と、そのセラミックス管の内外壁面に設けられた２つの電極と、これらの電極に接続されたMIケーブルを備えた水素濃度計において、金属筐体内部に水素を吸蔵する合金を取付け、金属筐体に侵入する水素を吸蔵するようにする。水素吸蔵合金に加えて、さらに、金属筐体に連通させて、枝管を取り付け、その枝管を介して金属筐体の内部に侵入した水素を大気中に放出させるようにすることでより優れた水素濃度計を得られる。【選択図】図５
2015052502.tif 000002
【特許請求の範囲】
【請求項１】
金属筐体と、該金属筐体に連通して取り付けられた袋管状のプロトン導電性セラミックス管と、該プロトン導電性セラミックス管の内外壁面に設けられた２つの電極と、これらの電極に接続されたMIケーブルを備え、前記プロトン導電性セラミックス管の内外の水素ガス分圧の相違によって前記電極間に生ずる起電力の大きさから水素ガスの濃度を測定する水素濃度計において、前記金属筐体内部に水素を吸蔵する合金を取付け、前記金属筐体に侵入する水素を吸蔵するようにしたことを特徴とするプロトン導電性セラミックスを用いた水素濃度計。
【請求項２】
請求項１に記載の水素濃度計において、前記金属筐体に連通させて、水素排出用枝管を取り付け、該水素排出用枝管に水素透過金属を接合し、該水素透過金属をヒータによって加熱することで前記金属筐体の内部に侵入した水素を大気中に放出させることを特徴とするプロトン導電性セラミックスを用いた水素濃度計。
【請求項３】
請求項１に記載の水素濃度計において、前記水素を吸蔵する合金が、チタニウム系合金のポーラス状の焼結体であることを特徴とするプロトン導電性セラミックスを用いた水素濃度計。
【請求項４】
請求項１又は２に記載の水素濃度計において、前記金属筐体と前記MIケーブルの金属表面にAuコーティングが施されていることを特徴とするプロトン導電性セラミックスを用いた水素濃度計。
【請求項５】
請求項１乃至４のいずれかに記載の水素濃度計において、前記金属筐体の外部への、前記MIケーブルのリード材が、Cu-Ni合金から成ることを特徴とするプロトン導電性セラミックスを用いた水素濃度計。
【発明の詳細な説明】
【技術分野】
【０００１】
本発明は、原子炉内等の施設の高放射線環境下において、環境中の水素濃度の測定を可能とするプロトン導電性セラミックスを用いた水素濃度計に関するものである。
【背景技術】
【０００２】
環境中の水素濃度を測定するための計測機器は、被測定ガスの熱伝導率の違いを利用した熱伝導型のもの、被測定ガスの濃度差に応じた起電力を発生させるプロトン導電体セラミックスを利用した固体電解質型など、多くの種類がある。本発明は固体電解質型のガスセンサに関するものである。固体電解質型センサの内、本発明に関係する発明として、これまで、例えば特許文献１，２や、非特許文献１に記載された発明が知られている。
【０００３】
特許文献１には低温かつガス流量の変化が激しい環境下においても、被測定ガスを安定して測定可能な固体電解質型水素濃度計が開示されている。また、特許文献２には、固体電解質型水素濃度計の気密性、特にプロトン導電体セラミックスと電極リードを絶縁しながら気密性を確保する発明が開示されている。さらに、非特許文献１には、高温環境下における試験結果 (雰囲気温度600℃〜800℃)及びγ線照射下における試験結果が示され、固体電解質型水素濃度計が高温かつγ線照射環境下でも水素濃度測定が可能であることが示されている。
【先行技術文献】
【特許文献】
【０００４】
【特許文献１】特開平08-240560号公報
【特許文献２】特許第4,274,662号公報
【非特許文献】
【０００５】
【非特許文献１】H.Sagawa, H.Kawamura, K.Miura, R.Oyamada, "Development of Sweep Gas Sensor with Proton Conduction", Fusion Technology, 28, (1995)1073-1077,
【発明の概要】
【発明が解決しようとする課題】
【０００６】
原子炉内等の施設において水素濃度は重要な計測パラメータの一つであり、そのため高放射線環境下において水素濃度を長期間測定可能な測定機器の開発が強く望まれている。しかし、高放射線環境下に曝された計測機器は、測定精度の低下等の経時変化が発生するため長期間に亘って使用することができなかった。この課題については、先の述べた文献においても、何らの示唆もされていない。
【０００７】
本発明の目的は、核融合炉用水素同位体測定用センサを応用し、例えば、材料照射試験に使用される試験研究炉、軽水炉や高速炉などの各原子力発電所の高放射線環境下においても長期間測定精度を保持でき、水素濃度を安定的に測定可能な炉内外センサを提供することにある。
【課題を解決するための手段】
【０００８】
具体的には、本発明の観点の一つにかかるプロトン導電性セラミックスを用いた固体電解質型水素濃度計は金属筐体、袋管状のプロトン導電性セラミックス、プロトン導電性セラミックスの内外壁面に設けられた２つの電極と各電極に接続されたＭＩケーブルから成る。固体電解質型水素濃度計は、前記プロトン導電性セラミックスの内外の水素ガス分圧の相違によって前記電極間に生ずる起電力を測定することで、水素濃度を測定する。一方で、従来の水素濃度計は、高放射線環境下において長期使用した場合、水素濃度計内部へ侵入した水素によって、起電力の低下等の経時変化が問題視されている。そこで、本発明の固体電解質型水素濃度計は、金属筐体内部に水素吸蔵合金を取付け、金属筐体に侵入する水素を水素吸蔵合金に閉じ込める構成を有することで、侵入水素による経年変化の防止を図っている。
【０００９】
さらに他の観点として、本発明の水素濃度計は、Auコートを施した金属筐体に水素排出用枝管を取り付け、さらに該水素排出用枝管に水素透過金属を接合し、該水素透過金属を加熱することによって、水素透過率を更に上げ、前記金属筐体の内部に侵入した水素を大気中に放出させる構成を有する。上述のような構成を有することで、水素吸蔵合金が吸蔵しきれない侵入水素を大気中に放出することができるようになる。
【発明の効果】
【００１０】
本発明の水素濃度計においては、金属筐体に水素吸蔵合金を含むため、長期間にわたって侵入水素の影響を取り除くことができ、過酷な高放射線環境下で使用される水素濃度計の測定精度をより長く保持することができる。また、金属筐体に水素排出用枝管を取付けることで、水素吸蔵合金が吸蔵しきれない侵入水素を大気中に放出できるようになるので、例えば１週間以上の、長期間にわたって水素濃度計の測定精度を保持することが期待できる。
【図面の簡単な説明】
【００１１】
【図１】本発明の原理説明図。
【図２】本発明にかかる水素濃度計の全体構成図。
【図３】水素吸蔵合金を備えた本発明にかかる水素濃度計の全体構成図。
【図４】水素排出用枝管を備えた本発明にかかる水素濃度計の概略説明図。
【図５】本発明で採用する水素吸蔵合金と水素排出用枝管の効果の説明図。
【発明を実施するための形態】
【００１２】
実施の形態について説明する前に、本発明の基本原理について、図１を参照して簡単に説明する。本発明では固体電解質を用いていることで、雰囲気ガス中の水素濃度を検出している。固体電解質とは、イオンがその内外部を移動できる物質であることから固体電解質はイオン導電体と呼ばれている。イオン化したガス等元素が固体電解質内を移動すると、固体電解質内外部のイオン濃度差によって起電力Ｅを生じる。金属や半導体は主に電子の移動によって電流が流れるのに対して、固体電解質は主としてイオンの移動によって電流が流れるものである。水素を測定する場合には、プロトン導電体と区分される固体電解質を用いる。図１において、PH2(1)はアノード側の水素分圧を示し、PH2(2)はカソード側水素分圧を示す。
【００１３】
図１に示されるように、プロトン導電体１０（図２のプロトン導電性セラミックに対応）を挟んで、左右の水素濃度が異なるとプロトン導電体１０に起電力が生じる。この起電力を電極１１a,１１ｂ（図２のポーラスPt電極に対応）によって取り出し、測定する。以下に示すネルンストの式(1)により、片側の基準水素濃度（図２の袋管状のプロトン導電性セラミックス管の内部水素濃度に対応）が既知であれば、水素濃度差による起電力Ｅを測定することでもう一つの方の濃度（検出すべき外部水素濃度）も分かる。
【００１４】
2015052502.tif 000003
【００１５】
次に、図１の原理を応用した本発明の実施の形態について図２を参照して詳細に説明する。図２は、本発明に係る水素濃度計２０の基本構造の全体構成図を示している。図２においては、説明の都合上、後述される水素吸蔵合金や、水素排出用枝管は示していない。この水素濃度計２０は、原子炉内等の高放射線環境下でも測定可能な照射環境中のガス濃度を測定できるようにするため全ての構成材を無機質とし、そのセンサ２１の材料にイオン導電性セラミックス(以降、プロトン導電性セラミックスという)を用いている。
【００１６】
水素を測定するプロトン導電性セラミックス２１は、ある温度以上にしないと水素導電性を示さないため、加熱する必要がある。また、水素濃度計２０の内外における水素濃度差によって、雰囲気中の水素が内側に侵入することを防ぐため、プロトン導電性セラミックス２１と金属筐体２７はロウ接して内部を密閉している。プロトン導電性セラミックス２１の内側には、基準物質２２を充填している。基準物質２２は結晶水を持った無機材の粉末と、接触抵抗を下げるための導電性セラミックス粉末を１：９の割合で混合（図示せず）したものである。また、内部構成部品としては、ポーラスPt電極２３、プロトン導電性セラミックス２１と基準物質２２を加熱するためのセラミックヒータ２５、基準物質２２とセラミックヒータ２５を固定するための絶縁体（図示せず）、温度制御用のシース熱電対３２、起電力を出力するためのＭＩケーブル２８から構成されている。
【００１７】
プロトン導電性セラミックス２１としては、高強度でイオン導電性が安定しているCaZr0.9In0.1O3-α等の固体電解質を使用している。金属筐体２７のプロトン導電性セラミックス近傍部分には、一般的にセラミックスとのロウ接合が可能なNi基合金(42アロイやコバール等の封着金属)が使用されている。セラミックヒータ２５は、基準物質２２を絶縁しながら加熱できる小型のもので、絶縁体としてアルミナ等のセラミックスを使用している。セラミック端子３２は、セラミックスとNi基合金をロウ接したものから成る。
【００１８】
内部基準物質２２は、結晶水を持つAIPO4・xH20の粉末にLa0.4Sr0.6CrO3-α等の導電性セラミックスの粉末を1：９の割合で混合したものであり、ポーラスPt電極２３はイオン導電体セラミックスの外側と内側の一部に円周状にPtペーストを焼結したものであり、ポーラス構造を有する。そのポーラスPt電極２３には、Ptリード線２６が取り付けられる。以上に述べた主な構成部品の概要及び特徴は以下のとおりである。
【００１９】
(1)プロトン導電性セラミックス: 水素濃度計のセンサ材料として、耐熱性を有し、水素にだけ反応する水素イオン導電体セラミックスの内、酸素を含む大気でも安定かつ水素導電性に優れたプロント導電性ペロブスカイト型酸化物(例えば、SrCe0.95Yb0.05 O3-αやCaZr0.9In0.1O3-α)に着目し、「水素のみに応答」、「高温でも使用可能」、「導電率は低いが、高強度で安定して使用可能」等の観点から、CaZr0.9In0.1O3-αを選定。
(2)基準物質：結晶水を持つAIPO4・xH20の粉末とLa0.4Sr0.6CrO3-α等の導電性セラミックスの粉末を適正混合した粉末を選定。
(3)ヒータ及び熱電対：プロトン導電性セラミックス内部に装荷し、一定温度に制御可能。
(4)内外電極：プロトン導電体セラミックスの内外側にはPtペーストを焼結することで、プロトン導電性セラミックスの起電力測定用の電極を設けている。内外の電極はポーラス状であり、各電極にはPtリード線が取付けられている。
(5)リード線：金属筐体内部のリード線(セラミックヒータ、熱電対及び内外電極)には、耐放射線性を有するMIケーブルを使用。
【００２０】
以下、本発明の水素濃度計の各部の構成及び新たに追加した機能について、さらに図２を参照すると共に、必要に応じて図３、図４を参照して説明する。
(1)水素濃度計の構成材料
【００２１】
選定したCaZr0.9In0.1O3-αのプロトン導電体と基準物質２２を用いた水素濃度計２０の製作を行った。プロトン導電性セラミックス２１がネルンストの式で表されるプロトン導電性を示すには500℃以上に加熱する必要があり、更に起電力は温度により変化することから、雰囲気中の水素濃度を連続的に安定して測定するために、プロトン導電体セラミックス中心に小型セラミックヒータ２５を設置して加熱温度を制御した。また、構造材は水素による還元反応を極力少なくするため、金属材料をできるだけ使用しないものとした。さらに、電極は化学的な安定性に優れた材料とし、水素濃度を一定にするために基準物質を封入する方式とすること等の対策を講じることとした。
【００２２】
プロトン導電性セラミックスを一定温度にするために、小型セラミックヒータ(発熱体をアルミナセラミックスで覆ったもの)を採用し、ヒータ制御用のシース型熱電対はヒータ外表面に取り付ける内蔵方式とした。
【００２３】
電極は、導電性及び化学的安定性が良好、かつプロトン導電性セラミックスへの接着性の良いものを選定した。また、起電力の出力は、電極とプロトン導電体の接着性と電極からプロトン導電性セラミックスへのガス透過性に影響されることから、電極の構造はPtペーストを塗布・焼付け、セラミックス内外表面に多孔質(ポーラス)状のPt膜電極２３を成形する方法を採用した。また、Pt膜電極２３の設置範囲は、水素濃度計２０の均一・高温部に塗布し、その長さはヒータ発熱長の中で均熱部の長さとした。
【００２４】
プロトン導電性セラミックスとNi基合金の封着金属との接合については、耐熱温度を考慮すると一般的な銀ロウではなく、金ロウ、Niロウ、パラジウム(Pd)ロウが選定されるが、NiはH2に還元されやすい。また、脆性材であるセラミックに対して応力緩和に結びつく展性に富んだロウ材に限定すると、金ロウもしくはPdロウが良好である。しかし、Pdは水素を非常に透過しやすく検出側の水素を透過させてしまうので、プロトン導電性セラミックス検出側と基準電極側に水素濃度差が生まれにくい。従って、水素濃度計のロウ材としては、金ロウが優れていると判断した。また、金ロウ中にAgやZn、Sn、Pdが含有されていた場合、低融点化や水素透過性をもたらし、一方で金含有量が多い方が化学的に安定するため、可能な限り金以外を含有しない金ロウが望ましい。一方、Ni基合金の封着金属については、水素と還元しないように、還元しにくい材料の表面処理が必要である。
(2)水素濃度計２０の基本構造
【００２５】
水素濃度計用プロトン導電性セラミックスの破損とセンサ繋ぎリード側からの水素ガス流入の防止も考えて、センサの繋ぎリードを含む金属筐体内部は密閉構造とすることが望ましい。また、Ptリードやヒータリードとの繋ぎリードは、耐放射線性や耐熱性に優れたMIケーブルとした。センサと繋ぎリード間の密閉性の確保や耐放射線性、耐熱性、絶縁を考え、セラミック端子を利用した。MIケーブル２８及びセラミック端子のリード材２９は、熱起電力防止と耐熱性の観点から、Cu-Ni合金を使用する。さらに、センサと繋ぎリード間の密閉構造部には、酸化防止の為、不活性ガスを封入した。
(3)水素透過防止対策
【００２６】
水素濃度計用プロトン導電性セラミックス並びに金属筐体の密閉構造部を金ロウや溶接を使用することでヘリウムリークが無い非常に気密性の高い構造とした。しかし、金属は温度が高くなればなるほど水素を透過するため、高温環境下では水素濃度計内部の水素濃度が増加し、最終的には基準物質による平衡状態が破たん。長時間高温雰囲気で使用できるようにするためには、水素濃度計内部へ水素ガスの透過を防止し、長期間の間、高精度で測定可能となる対策を講じなければならない。水素透過防止対策の一つとしては、Ni基合金表面にAu等のコーティングを施すことで水素の透過を防止し、さらに二つ目として一定間隔で密閉構造内部をガス置換する構造を付加することにより、透過した水素を排出する構造を与え、三つ目として密閉構造内部に水素吸蔵合金を装荷し、長期間の使用においても測定精度の低下が発生しにくい構造とした。
【００２７】
図３に水素吸蔵合金３５を装荷した水素濃度計２０を示す。Auコートした金属筐体２７（図２、図４参照）内に、水素吸蔵合金３５を装荷し、金属筐体内にある水素を低減させるようにした。水素吸蔵合金の種類については、金属筐体の温度により選定した。例えば、金属筐体の温度が室温付近である場合は、常温で水素を吸蔵するジルコニウム系水素吸蔵合金(Zr-Ni，Zr-Co，Zr-Fe-Oなど)、金属筐体の温度が高温である場合は、チタニウム系水素吸蔵合金(Ti，Ti-Feなど)を選定する。水素吸蔵合金の性状は、金属筐体内でバラバラにならない様に粉末では無く水素の吸蔵特性から、ポーラス状の焼結体がよい。水素吸蔵合金の装荷重量は、選定した水素吸蔵合金により決定していくが、装荷時には、不活性ガス雰囲気にて、活性化処理を行う必要がある。
【００２８】
図４に水素排出枝管３６を設けた水素濃度計２０を示す。照射環境(放射線場)下で水素を含まないアルゴンや空気等を金属筐体に枝管を接続して流し込む場合、金属筐体内部に導入したガスが放射化することになる。このため、放射化したガスの排出にあたっては、配管等への吸着防止、減衰タンクに放射性ガスを溜め、放射能の減衰、放出時の希釈など、様々な後処理工程を追加し、管理する必要がある。これでは装置が大がかりになり、保守・管理も大掛かりになる。
【００２９】
一方、金属筐体に水素排出用枝管３６を接続し、その一部を水素が無い大気に曝しその部分に水素透過性の良い純NiやPd合金の枝管部３７を接続し、その部分にヒータ３８を巻きつけて、温度を上げ、水素透過率を上げることによって、水素ガスのみを大気側に排出する様にした。Pd合金には水素透過によって変形しないようにAg等が入った合金が良い。図４では、水素排出用枝管３６をT字型に取り付けているが、取り付け装置に合わせて自由に曲げて良い。
【００３０】
上述のような水素排出用枝管３６に水素透過部分を設置することが困難な場合は、プロトン導電性セラミックス内外の濃度差で生じる起電力と逆の電圧をかける。測定時と逆の電圧を印加した場合、プロトン導電体セラミックスはセンサ内部の水素を外部に放出されるため、余分な水素を洗浄することができる。またこの場合においても断続的な測定も可能である。
【００３１】
最後に、図５を参照し、本発明で採用する水素吸蔵合金と水素排出用枝管の効果について説明する。図５のグラフは、基準物質側をHeで真空置換して、密閉状態にした当初の構造で、水素濃度10,000ppmで、センサ温度700℃（水素濃度計の内部温度）電気炉温度400℃（水素濃度計の外部温度）で、５日間（120時間）の出力変化を測定した結果を示している。グラフ１０１は従来型水素濃度計の出力変化率を示し、グラフ１０２は水素排出用枝管を備えた水素濃度計の出力変化率を示し、グラフ１０３は金属筐体内に水素吸蔵合金を備えた水素濃度計の出力変化率を示している。これらのグラフからわかるように、従来型水素濃度計の場合、約１日足らずで出力が７０％程度まで低下し、その後も低下し続けるのに対して、水素吸蔵合金や水素排出用枝管を備えた改良型水素濃度計では、５日経過した時点でも出力が９０％以上保持されている。
【符号の説明】
【００３２】
２０…水素濃度計
２１…プロトン導電性セラミックスのセンサ
２２…基準物質
２３…ポーラスPt電極
２７…金属筐体
２８…ＭＩケーブル
３５…水素吸蔵合金
３６…水素排出用枝管
３７…Pd合金枝管部
３８…ヒータ
【図１】
2015052502.tif 000004
【図２】
2015052502.tif 000005
【図３】
2015052502.tif 000006
【図４】
2015052502.tif 000007
【図５】
2015052502.tif 000008